(57)【要約】【課題】  主としてストローを利用して吸飲するための液体収納容器で、従来品に対して差別化できて消費者の嗜好を満足させることが出来、又注出孔の開閉も、容器体に付設した帯板先端に付設した栓で行えるようにしてキャップ開閉蓋の不便を除去した。【解決手段】  頂壁部２外周から下端開口の周壁３を垂下する容器本体１と、周壁３下端面を閉塞する底壁21とで形成し、頂壁部中央に穿設した注出孔７を、注出孔側方から屈曲可能に突設した帯板８先端部下面の栓９で閉塞した。【選択図】  図２
2005212873.tif 000002
【特許請求の範囲】
【請求項１】
頂壁部２外周から下端面開口の周壁３を垂下する合成樹脂製容器本体１と、該容器本体下端面を閉塞する底壁21とからなり、
上記容器本体頂壁部の中央部に注出孔７を穿設して、該注出孔側方から屈曲可能に突設した帯板８先端部下面へ栓９を付設して、該栓を注出孔７へ緊密に嵌合させた
ことを特徴とする液体収納容器。
【請求項２】
上記帯板先端部の外面へ、凹字形状の封緘片11を、該封緘片の凹部内へ帯板先端部が嵌合した状態に複数の破断子12ないし破断用線を介して付設させ、封緘片下面を頂壁部上面へ当接させた
ことを特徴とする請求項１記載の液体収納容器。
【請求項３】
上記封緘片11下面から嵌合子13を垂下させて、該嵌合子を頂壁部上面へ穿設した凹穴14内へ嵌合させた
ことを特徴とする請求項２記載の液体収納容器。
【請求項４】
上記嵌合子13上端部と封緘片11との連結部を、破断用線17ないし破断子で形成した
ことを特徴とする請求項３記載の液体収納容器。
【請求項５】
上記容器本体を、上面球面状として薄肉の合成樹脂材で一体成形した
ことを特徴とする請求項１、２、３又は４記載の液体収納容器。
【発明の詳細な説明】
【技術分野】
【０００１】
本発明は、主としてストローを利用して吸飲する液体収納容器に関する。
【背景技術】
【０００２】
柔軟なフィルムで形成した容器本体頂部から剛性の口頸部を起立すると共に、その口頸部内から容器本体底部まで外ストローを垂下し、かつその外ストロー内へ内ストローを摺動自在に嵌合させてその内ストロー上端部を口頸部上方へ起立させておき、又上記口頸部へはキャップを嵌合させ、容器本体内液体吸飲時には、上記キャップを外し、又内ストローを外ストローに対して上方へ引き出し、該内ストローで吸飲するよう設けた容器が知られている（特許文献１）。
【特許文献１】特開２００２−１４５３５９号公報
【発明の開示】
【発明が解決しようとする課題】
【０００３】
本発明は、ストローを利用して吸飲する従来の液体収納容器に対し差別化できて、消費者にとっては新鮮で嗜好を満たすことが出来易く設けたものであり、容器は持ち易く、又飲み残し時の再閉栓も出来るよう設けたものである。
【課題を解決するための手段】
【０００４】
第１の手段として頂壁部２外周から下端面開口の周壁３を垂下する合成樹脂製容器本体１と、該容器本体下端面を閉塞する底壁21とからなり、
上記容器本体頂壁部の中央部に注出孔７を穿設して、該注出孔側方から屈曲可能に突設した帯板８先端部下面へ栓９を付設して、該栓を注出孔７へ緊密に嵌合させた。
【０００５】
第２の手段として、上記第１の手段を有すると共に上記帯板先端部の外面へ、凹字形状の封緘片11を、該封緘片の凹部内へ帯板先端部が嵌合した状態に複数の破断子12を介して付設させ、封緘片下面を頂壁部上面へ当接させた。
【０００６】
第３の手段として、上記第２の手段を有すると共に上記封緘片11下面から嵌合子13を垂下させて、該嵌合子を頂壁部上面へ穿設した凹穴14内へ嵌合させた。
【０００７】
第４の手段として、上記第３の手段を有すると共に上記嵌合子13上端部と封緘片11との連結部を、破断用線17ないし破断子で形成した。
【０００８】
第５の手段として、上記第１、第２、第３、又は第４の手段を有すると共に上記容器本体を、上面球面状として薄肉の合成樹脂材で一体成形した。
【発明の効果】
【０００９】
請求項１記載のように頂壁部の中央部に穿設した注出孔７を、注出孔側方から突設した帯板８先端部の栓19で開閉するから消費者の嗜好を満足させることが出来、又栓９は注出孔側方から屈曲可能に突設した帯板８先端に付設しているから、容器内液体飲み残し時の再閉栓も容易であり、栓の紛失もない。
【００１０】
請求項２のようにすることで、開栓するためには封緘片11を破断除去することが必要となり、よってその封緘片有無により開栓の有無を知ることが出来、該容器に対する消費者の信頼感を高めることが出来る。
【００１１】
請求項３のようにすることで、封緘片11は常に容器本体頂壁部２へ付着した状態を保つこととなり、よって他物に当る等して不用意に帯板８から分離することを防止できる。
【００１２】
請求項４のようにすることで、封緘片11を除去した後に凹穴14内へ嵌合子13が残ることとなり、よって開栓の有無をより確実に消費者に示すことが出来る。
【００１３】
請求項５のようにすることで、容器形状を従来と異なる新鮮な形状とでき、又容器体を低コストで成形できる。
【発明を実施するための最良の形態】
【００１４】
以下図面について説明すると、１は頂壁部２外周から、下端面を開口する周壁３を垂下する合成樹脂製容器本体で、頂壁部は左右方向へ長い楕円の球面形状をなし、周壁はその頂壁部外周から垂下する横断面楕円形状をなす。周壁下端面へは外向きフランジ４を付設している。頂壁部上面はほぼ水平面５としておりかつ水平面中心には図５が示すようにストロー６挿入用の注出孔７を穿設している。
【００１５】
その注出孔側方からは、屈曲可能に帯板８を突出させ、その帯板先端部下面へは、筒状の栓９を付設して、該栓嵌合により注出孔７を密閉可能に設けている。帯板基端には弾性変形させるための薄肉部10を横設するとよく、図示例において帯板８は上記水平面５の後縁から突出させている。帯板基端から栓９までの長さは、帯板基端から注出孔７までの距離とほぼ同一として、栓嵌合時に帯板が撓まないようにしている。
【００１６】
その帯板の先端部外面へは、図１、図２が示すように凹字形状ないし馬蹄形状の封緘片11を、該封緘片の凹部内へ帯板先端部を嵌合させた状態に、複数の破断子12で連結させて付設している。又封緘片11の左右両部下面からは嵌合子13を垂下させて、既述水平面５の左右両部に穿設した下面閉塞の凹穴14内へ緊密に嵌合させている。その封緘片11は、該封緘片を帯板８先端部外面から除去しない限り、帯板先端部下面の栓９を注出孔７から抜出し不能とするもので、封緘片11下面は水平面５上へ当接するよう設けている。上記破断子に代えて、破断可能な肉薄線で帯板と封緘片とを連結してもよく、又嵌合子13上端部と封緘片11との連結部も、図６が示すように薄肉とした破断用線17ないし破断子で形成してもよい。尚水平面前端からは、封緘片前面下端への指掛けが容易であるよう、斜下前方への斜面15を付形している。
【００１７】
上記容器本体は、単層ないし積層とした合成樹脂材で一体成形することが望ましいが、頂部の形成が面倒となることを避けるため、帯板８と水平面５とを有する頂壁部分は別成形して、これを上端部開口とした容器本体頂部へ一体に接合させて、頂壁部２を形成してもよい。このようにすることで容器体頂部の色を変え容器に対する消費者の興味を高めることが出来る。
【００１８】
栓９付きの帯板８は、図２が示すように側外方への突出状態で容器体全体を一体成形できる。周壁３の外面へは、インモールドラベル16を付着ないしオフセット印刷等した装飾を施すことが望ましい。
【００１９】
21は容器本体周壁の下端面を閉塞する相当の剛性を有する底壁で、該底壁21は、容器本体内へ液体を充填した後にその外周部上面を周壁下端面へ剥離不能に接合させる。該底壁は相当の強度を有する適宜シート等で形成する。
【００２０】
上記容器の使用は次のように行う。まず図１が示すように封緘片11を除去し、次いで帯板８先端部を押上げて注出孔７から栓９を抜出し、図５が示すようにストロー６を注出孔７から容器本体内へ挿入させて吸飲する。収納飲料が残った場合はストローを抜き、再度帯板８を倒し、栓９を注出孔７内へ嵌合させて密閉する。
【図面の簡単な説明】
【００２１】
【図１】本発明容器の斜視図である。
【図２】図１容器の成形時の形状を示す斜視図である。
【図３】図１容器の正面図である。
【図４】図１容器の平面図である。
【図５】図１容器使用状態を示す斜視図である。
【図６】図１要部を変形例で示す拡大断面図である。
【符号の説明】
【００２２】
１  容器本体                        ２  頂壁部
３  周壁                            ６  ストロー
７  注出孔                          ８  帯板
９  栓                              11  封緘片
12  破断子                          13  嵌合子
14  凹穴                            21  底壁
【図１】
2005212873.tif 000003
【図２】
2005212873.tif 000004
【図３】
2005212873.tif 000005
【図４】
2005212873.tif 000006
【図５】
2005212873.tif 000007
【図６】
2005212873.tif 000008